(57)【要約】      （修正有）【課題】ミシン目等の脆弱部で分離された払込票等の媒体を取り扱った場合においても、収納代行処理等の処理までの完了を確認できる媒体処理装置を提供する。【解決手段】媒体処理装置は、情報が印刷され、第１の領域と第２の領域との境界に設けられた脆弱部を有する媒体を、一端から他端に向けて脆弱部の延在方向に沿った方向に搬送するメイン搬送路ＴＰ１と、メイン搬送路ＴＰ１に設けられて媒体に印刷されている情報を読み取る読取センサと、メイン搬送路ＴＰ１の読取センサからみて他端側に設けられかつ、媒体の第１の領域が通過する経路上に設けられた分離監視センサＤ１および媒体の第２の領域が通過する経路上に設けられた分離監視センサＤ２を含む監視センサ群と、を有する。【選択図】図５
2020080029.tif 000002
【特許請求の範囲】
【請求項１】
情報が印刷され、第１の領域と第２の領域との境界に設けられた脆弱部を有する媒体を、一端から他端に向けて前記脆弱部の延在方向に沿った方向に搬送する搬送路と、
前記搬送路に設けられて前記媒体に印刷されている前記情報を読み取る読取センサと、
前記搬送路の前記読取センサからみて前記他端側に設けられかつ、前記媒体の前記第１の領域が通過する経路上に設けられた第１の分離監視センサおよび前記媒体の前記第２の領域が通過する経路上に設けられた第２の分離監視センサを含む監視センサ群と、
を有することを特徴とする媒体処理装置。
【請求項２】
前記第１の分離監視センサと前記第２の分離監視センサとは、前記搬送方向に対して直角に交差する直線上に配置されていることを特徴とする請求項１に記載の媒体処理装置。
【請求項３】
前記第１の分離監視センサと前記第２の分離監視センサとは、前記搬送方向に対してずらして配置されていることを特徴とする請求項１に記載の媒体処理装置。
【請求項４】
前記搬送路の前記読取センサと前記監視センサ群との間に設けられて前記媒体の表面に印字をする印字手段と、
前記媒体を保留する媒体保留部と、を有し、
前記監視センサ群は前記読取センサ及び前記印字手段の後側で前記媒体保留部の前側の搬送路上に配置されていることを特徴とする請求項１乃至３の何れか一項に記載の媒体処理装置。
【請求項５】
前記媒体は、さらに第３の領域を有し、
第１の領域と第２の領域と第３の領域の境界に設けられた脆弱部を有し、
前記監視センサ群は、前記第３の領域が通過する経路上に第３の分離監視センサを含む、ことを特徴とする請求項１に記載の媒体処理装置。
【請求項６】
前記第１の分離監視センサと前記第２の分離監視センサと前記第３の分離監視センサは、前記搬送方向に対してずらして配置されていることを特徴とする請求項５に記載の媒体処理装置。
【請求項７】
前記監視センサ群は、前記媒体の前記脆弱部で分離する領域の小さい順に、各領域に対応する分離監視センサを前記媒体保留部から遠くなる位置に配置することを特徴とする請求項４乃至６の何れか一項に記載の媒体処理装置。
【発明の詳細な説明】
【技術分野】
【０００１】
本発明は、コンビニエンスストアやショッピングモール、銀行等に設置されている自動取引装置（ＡＴＭ：Ａｕｔｏｍａｔｉｃ  Ｔｅｌｌｅｒ  Ｍａｃｈｉｎｅ）等の媒体処理装置に関する。
【背景技術】
【０００２】
コンビニエンスストア等の店舗に設置されているように、自動取引装置（ＡＴＭ）は、特許文献１に記載されているように公知である。その中の払込票処部によって、通信販売の購入代金や公共料金の支払いを行うための収納代行業務の処理がなされている。
【０００３】
自動取引装置においては、払込票のミシン目により２枚に分離されてしまった払込票を検出し正しく処理を行い、不具合を起こさない払込票の取扱いが望まれている。
【先行技術文献】
【特許文献】
【０００４】
【特許文献１】特開２０１０−１３６１２９号公報（図１）
【発明の概要】
【発明が解決しようとする課題】
【０００５】
しかしながら、従来の自動取引装置において、払込票のミシン目により２枚に分離した払込票を装置に挿入し処理をした場合、又は挿入後に装置内部で払込票が２枚に分離した場合において、２枚となった払込票が同時に搬送および印字等の処理が行われず、正しく２枚の媒体全てが格納庫に格納されずに搬送路内に残留することにより、搬送路ジャムが復旧しなかったり、次回の取引実施中に残留した払込票の部分があたかも湧き出してきたようになる異常動作となってしまう等の不具合が発生することがあった。
【０００６】
本発明は、上述の点に鑑みてなされたものであり、ミシン目等の脆弱部で分離された払込票等の媒体を取り扱った場合においても、収納代行処理等の処理までの完了を確認できる自動取引装置等の媒体処理装置を提供することを目的とする。
【課題を解決するための手段】
【０００７】
本発明の媒体処理装置は、情報が印刷され、第１の領域と第２の領域との境界に設けられた脆弱部を有する媒体を、一端から他端に向けて前記脆弱部の延在方向に沿った方向に搬送する搬送路と、
前記搬送路に設けられて前記媒体に印刷されている前記情報を読み取る読取センサと、
前記搬送路の前記読取センサからみて前記他端側に設けられかつ、前記媒体の前記第１の領域が通過する経路上に設けられた第１の分離監視センサおよび前記媒体の前記第２の領域が通過する経路上に設けられた第２の分離監視センサを含む監視センサ群と、
を有することを特徴とする。
【発明の効果】
【０００８】
本発明の媒体処理装置によれば、ミシン目等の脆弱部で分離された払込票等の媒体を取り扱った場合においても、収納代行処理等の処理までの完了を確認でき、かつ媒体の残留を検知できる。
【図面の簡単な説明】
【０００９】
【図１】本発明の第１の実施形態に係る自動取引装置を示した斜視図である。
【図２】第１の実施形態に係る自動取引装置の構成を示したブロック図である。
【図３】第１の実施形態に係る自動取引装置の内部構造の一部の紙媒体処理部を説明する右側側面から見た概略構成図である。
【図４】第１の実施形態により処理される払込票を示した正面図である。
【図５】第１の実施形態に係る自動取引装置の内部構造のメイン搬送路の一部を説明する上面図である。
【図６】第１の実施形態に係る自動取引装置における正常な払込票搬送動作を説明する上面図である。
【図７】第１の実施形態に係る自動取引装置における払込票の分離部分に多少のずれがある場合の払込票搬送動作を説明する上面図である。
【図８】第１の実施形態に係る自動取引装置における払込票の分離部分にずれがあり一部分が搬送不可の場合の払込票搬送動作を説明する上面図である。
【図９】第１の実施形態に係る自動取引装置における払込票の搬送動作において正常な場合、分離部分に多少のずれがある場合、および分離部分にずれがあり一部分が搬送不可の場合にそれぞれ対応する分離監視センサの信号出力の変化を示すタイムチャートである。
【図１０】本発明の第２の実施形態に係る自動取引装置の内部構造のメイン搬送路の一部を説明する上面図である。
【図１１】本発明の第３の実施形態に係る払込票処理装置を示した斜視図である。
【発明を実施するための形態】
【００１０】
以下、本発明による媒体処理装置を、コンビニエンスストア等の店舗に設置された自動取引装置に適用した実施形態を例に、図面を参照しながら説明する。
【００１１】
なお、各実施形態の説明において、同一の構成要素に関しては同一の符号を付し、重複した説明は省略する。以下では、自動取引装置において操作者が装置に対峙する前側とし、その反対を後側とし、当該前側に対峙した操作者から見て左右上下をそれぞれ左側右側、上側および下側として定義して説明する。
【００１２】
［第１の実施形態］
（自動取引装置の構成）
図１に示すように、自動取引装置１には、その前側に操作者（図示せず）が対峙した状態で操作等をしやすい顧客応対部ＩＦが設けられている。顧客応対部には、操作者との間で例えば現金やカード等を直接やり取りすると共に、取引に関する情報の通知や操作指示の受付を行うようになされており、操作表示部２と、通帳払込票入出口３ａを有する紙媒体処理部３と、紙幣入出金口４ａを有する現金処理部４と、カード入出口５ａおよびレシート発行口５ｂを有するカードリーダレシートプリンタ部５と、が設けられている。
【００１３】
また、自動取引装置１には該顧客対応部分の他に、図２に示すように、自動取引装置１の動作を制御するためのプログラムが格納されている記憶部６と、記憶部６に格納されているプロクラムをＣＰＵ（Ｃｅｎｔｒａｌ  Ｐｒｏｃｅｓｓｉｎｇ  Ｕｎｉｔ）が実行することにより自動取引装置１の各機能部の動作を制御する制御部７と、外部の通信網ＮＷを介してデータサーバ９と通信する通信部８とを備えている。
【００１４】
操作表示部２は、取引に際して操作画面を表示する液晶ディスプレイ等の表示装置と、取引の種類の選択、暗証番号や取引金額等を入力するタッチセンサとが一体化されたタッチパネルである。操作表示部２は、顧客からの指示を受け付けて、指示内容を制御部７に通知するとともに、制御部７から顧客へ各種情報の確認や、承認等の操作画面を表示する。
【００１５】
紙媒体処理部３は、払込票Ｓ（又は通帳（図示せず））の紙媒体を通帳払込票入出口３ａから取り込み、制御部７の制御に基づき、取り込んだ当該紙媒体の処理を行う。紙媒体処理部３の通帳処理機能としては、制御部７の制御に基づき、顧客から通帳出入口に挿入された通帳を内部に搬送し、該通帳の磁気ストライプデータを読取りと書込みを行い、取引内容（記帳データ）に関する記帳印字を行う。紙媒体処理部３の払込票処理機能としては、制御部７の制御に基づき、顧客から通帳出入口に挿入された払込票を内部に搬送し、該払込票の光学的読取りを行い、払込取引処理又は必要があれば印字を行う。
【００１６】
現金処理部４は紙幣処理部を含み、制御部７の制御に基づき、現金の入出金に関する処理を行う。現金処理部４は、図示しないが、紙幣入出金口４ａに投入された紙幣を内部に搬送する搬送部と、紙幣を一時的に格納する一時保留部、紙幣の真偽と金種を判別する鑑別部、紙幣を金種別に格納する紙幣スタッカ等を有する。なお、紙幣の他に硬貨も扱う装置に本発明が適用される場合、紙幣と硬貨の入出金口は別々に備えていてもよい。例えば、紙幣の入出金処理を行う紙幣入出金口と硬貨の入出金処理を行う硬貨入出金口の２つを備えるようにしてもよい。この場合、現金処理部は、紙幣処理部と硬貨処理部というように別々に備えられることになる。
【００１７】
カードリーダレシートプリンタ部５は、制御部７の制御に基づき、顧客からカード出入口５ａに挿入され取りもまれたキャッシュカード等の媒体に記録されている顧客識別情報（例えば、氏名、口座番号等）を読取り、顧客を認識する機能を有する。カードリーダレシートプリンタ部５はキャッシュカードに設けられている磁気ストライプに対するデータの読み取りと書き込みを行うと共に、レシート用紙に取引データの印字を行う。カードリーダレシートプリンタ部５は、制御部７から供給された取引明細プリント信号に応じて、当該信号にて表される取引結果を明細票用紙に印刷する。カードリーダレシートプリンタ部５は制御部７からカード排出信号が供給された場合、取込んだカード入出口５ａから排出する。
【００１８】
通信部８は、有線又は無線により他の情報処理装置との間でデータの送受信を行うための通信モジュールである。例えば、通信部８は、ＬＡＮ（Ｌｏｃａｌ  Ａｒｅａ  Ｎｅｔｗｏｒｋ）や電話回線等に接続されており、通信網ＮＷを介してデータサーバ９と通信している。通信部８は、自動取引装置１で行われた処理に関する情報を、通信網Ｎを介してデータサーバ９に送受信している。通信網ＮＷは、接続されている通信部８から送信される情報の有線又は無線の伝送路である。例えば、通信網ＮＷは、公衆回線網（インターネット、電話回線網、衛星通信網）を含んでもよいし、各種のＬＡＮを含んでもよいし、ＷＡＮ（Ｗｉｄｅ  Ａｒｅａ  Ｎｅｔｗｏｒｋ）を含んでもよい。また、通信網ＮＷは、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでもよい。
【００１９】
以下では便宜上、自動取引装置１の紙媒体処理部３以外の構成については詳細な説明を省略する。
【００２０】
（紙媒体処理部の構成）
図３に示すように、通帳払込票入出口３ａを有する紙媒体処理部３は、搬送路ＴＰに沿って配列された、通帳磁気読取書込部１１、通帳改頁部１２、スキャナ部２０（読取センサ）と、プリンタ部３０（印字手段）と、払込票保留部４０（媒体保留部）と、払込票格納部５０とを有する。
【００２１】
通帳払込票入出口３ａは、払込票Ｓ（又は通帳（図示せず））を、所定のローラ（図示せず）によって、一ずつ内部に取込できるように構成されている。
【００２２】
搬送路ＴＰは、通帳払込票入出口３ａと払込票保留部４０との間並びに払込票保留部４０から払込票格納部５０への間で払込票Ｓを搬送する機構であり、制御部７（図２）で制御される、通帳払込票入出口３ａと払込票保留部４０との間に設けられたメイン搬送路ＴＰ１と、メイン搬送路ＴＰ１と払込票格納部５０との間に設けられた分岐搬送路ＴＰ２と、を備えている。
【００２３】
搬送路ＴＰは、所定間隔で平行に配列され、駆動モータを含む駆動伝達機構（図示せず）により駆動される複数の上下一対の搬送ローラＴＲを回転させることで、ベルト上の払込票Ｓを搬送するように構成されている。搬送路ＴＰでは、制御部７（図２）の制御により駆動モータの出力軸の回転、停止、回転方向を切り替えることで、払込票Ｓの搬送方向を切り替えることができる。搬送路ＴＰには、通帳払込票入出口３ａから全体に亘って所定間隔で平行に配列された複数の位置管理センサ（図示せず）が設けられ、該位置管理センサを介して払込票Ｓの位置、走行異常を、制御部７（図２）が監視している。さらに、メイン搬送路ＴＰ１の払込票保留部４０に近い部位には、監視センサ群Ｄが設けられ、該監視センサ群Ｄを介して払込票Ｓの分離状態を、制御部７（図２）が監視している。
【００２４】
メイン搬送路ＴＰ１は、一方の端部（一端）が通帳払込票入出口３ａに接続され、他方の端部（他端）は払込票保留部４０に接続されている。つまり、払込票Ｓはメイン搬送路ＴＰ１の一端から他端に向けてミシン目などの脆弱部の延在方向に沿った方向に搬送される。
【００２５】
制御部７（図２）の制御により、分岐搬送路ＴＰ２は、一方の端部がブレード１３を介してメイン搬送路ＴＰ１に接続され、他方の端部は払込票格納部５０に接続できるように構成されている。分岐搬送路ＴＰ２は、初期状態ではメイン搬送路ＴＰ１から離れており、ブレード１３の向きを切り替えることで、メイン搬送路ＴＰ１に接続することができる。分岐搬送路ＴＰ２をメイン搬送路ＴＰ１に接続した状態では、メイン搬送路ＴＰ１上の払込票Ｓを、分岐搬送路ＴＰ２に進入させて、払込票格納部５０に格納することができる。
【００２６】
通帳磁気読取書込部１１は、通帳が挿入された場合の通帳（図示せず）のうら表紙面に予め設けてある磁気ストライプに対して磁気記録情報の磁気的に読取及び書込が可能となっている。
【００２７】
通帳改頁部１２は、取り扱う通帳が挿入された場合の通帳（図示せず）に対して頁繰越しが発生した場合に頁捲りを行うための機構部である。
【００２８】
制御部７（図２）の制御により、通帳磁気読取書込部１１及び通帳改頁部１２は、通帳が挿入された場合にのみ起動され、払込票が挿入された場合には起動されないように構成されている。
【００２９】
スキャナ部２０は反射型光学イメージセンサであって、例えば、通帳が挿入された場合の通帳（図示せず）や払込票Ｓの印字欄やその画像等を読み取る。スキャナ部２０が取得した画像データは、制御部７（図２）に入力されるとともに、記憶部６に記憶される。
【００３０】
プリンタ部３０は、通帳が挿入された場合の通帳（図示せず）や払込票Ｓに印字処理を行うための印字ヘッドやプラテン及び印字ヘッドの駆動手段等で構成されている。例えば、通帳（図示せず）に対して、プリンタ部３０は、上位装置より取引履歴情報としての未記帳情報を受信して所定の印字すべき頁、印字すべき行位置に印字を行う。なお、該通帳への印字終了後は、通帳払込票入出口３ａに戻される途中に、通帳磁気読取書込部１１において処理済みの磁気記録情報が磁気的に該通帳の磁気ストライプに書込まれる。
【００３１】
また、プリンタ部３０は、例えば、払込票Ｓに領収印等をも印刷する。
【００３２】
払込票保留部４０は、プリンタ部３０の下流の後側にてメイン搬送路ＴＰ１に接続されており、メイン搬送路ＴＰ１上の払込票Ｓを一時的に保持可能である。なお、払込票保留部４０には、図示しないが、制御部７（図２）により制御される払込票の繰込み繰り出し機構が設けられている。
【００３３】
払込票格納部５０は、受領証Ｓから切り離された顧客控え領域Ｓ３以外の本部控え領域Ｓ１および店舗控え領域Ｓ２の部分Ｓ１Ｓ２を格納する格納庫である。払込票格納部５０は、分岐搬送路ＴＰ２の端部に配置されており、分岐搬送路ＴＰ２から供給された払込票Ｓを格納する。
【００３４】
（自動取引装置の払込票処理動作）
次に、本実施形態の自動取引装置１における払込票処理ついて主に説明する。
【００３５】
まず、本実施形態の払込票処理装置による払込票処理の対象の払込票について説明する。
【００３６】
図４は、払込票Ｓの構成例を示す図である。図１の払込票Ｓは、本部控え領域Ｓ１、店舗控え領域Ｓ２および顧客控え領域Ｓ３を有する。払込票Ｓには各種情報が印刷されている。
【００３７】
（払込票の構成）
本部控え領域Ｓ１は、払込票Ｓのうち、払込票Ｓの処理が終わった後に、コンビニエンスストア本部に送られる領域である。本部控え領域Ｓ１は、支払いが実行された後領収印が形成される「日付印」の印字領域７２と、「ご依頼人住所氏名」の支払情報領域７４と、支払金額が印字された「金額」の金額領域７６とを含む。また、支払情報領域７４には、支払いに関する情報（支払情報）が印刷されている。以下では、支払情報が一次元のデータコード（バーコード）である場合を主に想定するが、支払情報の形式は限定されない。例えば、支払情報は、数字であってもよいし、数字に変換され得る何らかのデータコード（例えば、二次元のデータコード等）であってもよい。
【００３８】
店舗控え領域Ｓ２は、払込票Ｓのうち、払込票Ｓの処理が終わった後に店舗によって保管される領域である。店舗控え領域Ｓ２が保管される場所は、店舗内であってもよいし、店舗外であってもよい。図１に示すように、店舗控え領域Ｓ２は、支払いが実行された後領収印が形成される「日付印」の印字領域８２と、「ご依頼人住所氏名」の支払情報領域８４と、支払金額が印字された「金額」の金額領域８６とを含む。
【００３９】
店舗控え領域Ｓ２は、ミシン目Ｍ１を介して本部控え領域Ｓ１の右に連設されている。店舗控え領域Ｓ２は、ミシン目Ｍ１を切り開くことで、本部控え領域Ｓ１から切り離すことができる。
【００４０】
顧客控え領域Ｓ３は、払込票Ｓのうち、払込票Ｓの処理が終わった後に、顧客に返却される領域である。例えば、顧客は、顧客控え領域Ｓ３の返却を受けると、顧客控え領域Ｓ３を領収書として利用することが可能である。顧客控え領域Ｓ３は、支払いが実行された後領収印が形成される「領収印」の印字領域９２と、「振込人氏名」の支払情報領域８４と、支払金額が印字された「金額」の金額領域９６とを含む。
【００４１】
顧客控え領域Ｓ３は、ミシン目Ｍ２を介して店舗控え領域Ｓ２の右に連設されている。
【００４２】
顧客控え領域Ｓ３は、ミシン目Ｍ２を切り開くことで、本部控え領域Ｓ１および店舗控え領域Ｓ２から切り離され得る。
【００４３】
ミシン目Ｍ１およびＭ２で区画される本部控え領域Ｓ１、店舗控え領域Ｓ２および顧客控え領域Ｓ３の幅Ｌ１、Ｌ２およびＬ３はそれぞれ、例えば、１２５ｍｍ、５５．３４ｍｍおよび３８．５ｍｍである。
【００４４】
払込票Ｓを払込票処理装置の吸入口に入れる場合、顧客（操作者）が該装置の前側から後側へ払込票Ｓの上辺を先にして挿入することを正常として想定している。
【００４５】
払込票Ｓの本部控え領域Ｓ１、店舗控え領域Ｓ２および顧客控え領域Ｓ３における各印字領域７２、８２、９２には、「店舗名」、支払いが実行された「日付」を含む円形領収印が印字形成され、さらに、「支払金額」も含むように印字形成されてもよい。
【００４６】
（紙媒体処理部の動作）
図１、図３に示すように、顧客（図示せず）は、持ち込んだ払込票Ｓを自動取引装置１の紙媒体処理部３の通帳払込票入出口３ａにセットする。
【００４７】
図３に示すように、制御部７（図２）は、顧客によって通帳払込票入出口３ａにセットされた１枚の払込票Ｓを、搬送ローラＴＲによってメイン搬送路ＴＰ１へ搬送し、スキャナ部２０によって読み取らせ、読み取り結果のイメージデータを取得する。なお、制御部７（図２）は、メイン搬送路ＴＰ１上の払込票Ｓが正しい向きではないと判定した場合は、その払込票Ｓを通帳払込票入出口３ａから排出する。
【００４８】
制御部７（図２）は、取得イメージデータを操作表示部２に表示させることができる。制御部７（図２）は、イメージデータの払込票Ｓの支払情報領域７４から支払情報を認識し、支払情報から各データコードを取得する。制御部７（図２）は、払込票Ｓのイメージデータに対するＯＣＲ（Ｏｐｔｉｃａｌ  Ｃｈａｒａｃｔｅｒ  Ｒｅｃｏｇｎｉｔｉｏｎ）処理により、各領域にある特定の文字列のデータコード等を検出することもできる。
【００４９】
制御部７（図２）は、取得したデータコードの情報を、記憶部６に記憶させ、払込票Ｓをメイン搬送路ＴＰ１を介して払込票保留部４０に保持させる。
【００５０】
本実施形態においは、制御部７（図２）は、払込票Ｓをメイン搬送路ＴＰ１から払込票保留部４０に保持させる場合、常に、監視センサ群Ｄを介して、払込票Ｓの分離状態を監視する。かかる払込票Ｓの分離状態を監視する監視操作について後に詳述する。
【００５１】
制御部７（図２）は、取得したデータコードの内の事業者コードに対応する払込票Ｓが取り扱い可能であるか否かを、通信部８を介してデータサーバ９に問い合わせて、事業者コードに対応する払込票Ｓが取り扱い可能である旨の回答が得られた場合には、払込票Ｓを払込票保留部４０に保持するように紙媒体処理部３を制御する。なお、制御部７（図２）は、払込票Ｓが取り扱い不可能である場合、払込票保留部４０に保持されている払込票Ｓを、メイン搬送路ＴＰ１を通じて通帳払込票入出口３ａから排出する。
【００５２】
続いて、制御部７（図２）は、格納された各払込票Ｓの支払金額の合計金額を算出する。そして、制御部７（図２）は、各支払金額と合計金額とを操作表示部２に表示させる。顧客は、表示された各支払金額と合計金額とを確認し、各支払金額と合計金額とを承諾する場合には、操作表示部２に対して、承諾を示す入力（例えば、「承諾ボタン」の押下等）を行う。なお、制御部７（図２）は、支払い処理において合計金額が顧客に承認されない場合、払込票保留部４０に保持されている払込票Ｓを、メイン搬送路ＴＰ１を通じて通帳払込票入出口３ａから排出する。
【００５３】
続いて、顧客が現金を入金すると、現金処理部４は、顧客によって入金された現金を計数する。現金処理部４は、入金された現金の計数結果が合計金額を超える場合には、入金された現金の計数結果から合計金額を減じることによって差分を算出し、当該差分に相当する釣銭を出金する。
【００５４】
続いて、制御部７（図２）は、払込票保留部４０に保持されている払込票Ｓに対して、領収印の形成を行うように紙媒体処理部３を制御する。制御部７（図２）は、払込票保留部４０から払込票Ｓをメイン搬送路ＴＰ１へ繰り出させる。
【００５５】
続いて、制御部７（図２）は、プリンタ部３０により、支払が実行された支払日付を含むスタンプ印影が受領印として、本部控え領域Ｓ１における印字領域７２、店舗控え領域Ｓ２における印字領域８２、顧客控え領域Ｓ３における印字領域９２それぞれに対して、受領印（図示せず）を印字形成させる。
【００５６】
受領印４０の形成動作が終了すると、制御部７（図２）は、払込票Ｓを、メイン搬送路ＴＰ１により通帳払込票入出口３ａの後側近傍に配置された切断部ＣＴＰに搬送し、切断部ＣＴＰにおいて所定のカッタで店舗控え領域Ｓ２と顧客控え領域Ｓ３との間のミシン目Ｍ２で切断する。
【００５７】
そして、制御部７（図２）は、顧客控え領域Ｓ３を通帳払込票入出口３ａに搬送して排出し、一方、本部控え領域Ｓ１および店舗控え領域Ｓ２の部分Ｓ１Ｓ２が払込票格納部５０に搬送、格納されるように、紙媒体処理部３を制御する。顧客控え領域Ｓ３のみの排出は、例えば、通帳払込票入出口３ａの後側に顧客控え領域Ｓ３以外の搬送を阻止する突起物（図示せず）を設けることによって、実現され得る。
【００５８】
最後に、すべての処理が終わると、制御部７（図２）は、カードリーダレシートプリンタ部５に、払込処理結果（取引結果）に関する情報をロール用紙に印刷させ切断して、印刷されたレシートとして排出させる。
【００５９】
（払込票の分離状態を監視する監視操作）
次に、本実施形態の自動取引装置１の紙媒体処理部３における払込票Ｓの分離状態を監視する監視操作について説明する。
【００６０】
図５に示すように、搬送路ＴＰは搬送方向に交差する方向にミシン目Ｍ１およびＭ２で分離可能な（又は分離した）払込票Ｓを搬送するので、スキャナ部２０及びプリンタ部３０（払込票Ｓの表面に印字を行う印字ヘッド３０ａおよびプラテン３０ｂを備える）の後側で払込票保留部４０の前側の搬送路ＴＰには、監視センサ群として分離監視センサＤ１と分離監視センサＤ２と分離監視センサＤ３の３つが配置されている。このように監視センサ群を配置することにより、払込票Ｓをスキャナ部２０及びプリンタ部３０で処理した後、払込票Ｓを払込票保留部４０まで搬送する間に、分離してしまった払込票Ｓの状態を監視することが出来る。
【００６１】
分離監視センサＤ１、Ｄ２およびＤ３は、搬送路ＴＰ上の、本部控え領域Ｓ１、店舗控え領域Ｓ２および顧客控え領域Ｓ３の幅Ｌ１、Ｌ２およびＬ３に対応する部分Ａ、ＢおよびＣの通過経路上に設けられている。
【００６２】
制御部７（図２）は分離監視センサＤ１、Ｄ２およびＤ３を介して、搬送路ＴＰに交差する方向における払込票Ｓの分離した又は分離可能な部分ごとの通過を検知する。
【００６３】
制御部７（図２）は払込票Ｓの搬送中に分離監視センサＤ１、Ｄ２およびＤ３からの信号を比較して、払込票Ｓの分離した又は分離可能な部分、本部控え領域Ｓ１、店舗控え領域Ｓ２および顧客控え領域Ｓ３ごとの通過の正常又は異常を判別する。
【００６４】
図５に示すように、分離監視センサＤ１、Ｄ２およびＤ３は搬送方向に対して直角に交差する直線上に配置されている。すなわち、分離監視センサＤ１、Ｄ２およびＤ３は、搬送方向に直角の角度を持った方向において順に配置されている。本実施形態において、それぞれ、分離監視センサＤ１が払込票Ｓの切取線のミシン目Ｍ１の左側の本部控え領域Ｓ１を、分離監視センサＤ２が同ミシン目Ｍ１の右側である店舗控え領域Ｓ２を、分離監視センサＤ３が同ミシン目Ｍ２の右側である顧客控え領域Ｓ３を検知可能な位置に対応するように、構成されている。
【００６５】
図６は本実施形態における正常な搬送動作を示す。
図６（ａ）の通り、払込票Ｓを通帳払込票入出口３ａに挿入することから払込票Ｓの処理が始まる。図６（ｂ）で示すように、制御部７（図２）は搬送路ＴＰを制御して、スキャナ部２０で払込票Ｓの表面に印刷および手書き記載されている文字を読み取り、プリンタ部３０により払込票Ｓ表面に印字を行う等の処理を行う。
【００６６】
図６（ｂ）で示すように各種処理が完了した後、制御部７（図２）は払込票Ｓを払込票保留部４０に搬送する。この時、払込票Ｓがミシン目Ｍ１により分離されていない正常な形状である場合、図６（ｃ）に示すように払込票Ｓは分離監視センサＤ１、Ｄ２およびＤ３の３つを遮り、図６（ｄ）に示すように払込票Ｓが払込票保留部４０に保持された時には分離監視センサＤ１、Ｄ２およびＤ３の３つが再び光軸が通ることとなる。すなわち分離監視センサＤ１、Ｄ２およびＤ３の３つが、ほぼ同時に払込票Ｓで「明→暗→明」を検知することとなり、ミシン目Ｍ１の左右ともが払込票保留部４０に保持されたことを検知可能となっている。
【００６７】
次に図７によりミシン目Ｍ１により左右に分離された本部控え領域Ｓ１と店舗控え領域Ｓ２および顧客控え領域Ｓ３の部分とからなる払込票Ｓが挿入された場合の動作を説明する。
【００６８】
図７（ａ）の通り、本部控え領域Ｓ１と店舗控え領域Ｓ２および顧客控え領域Ｓ３の部分とからなる払込票Ｓを通帳払込票入出口３ａに挿入することとから払込票Ｓの処理が始まる。
【００６９】
図７（ｂ）で示すように、制御部７（図２）は搬送路ＴＰを制御して、スキャナ部２０で払込票Ｓの表面に印刷および手書き記載されている文字を読み取り、プリンタ部３０により払込票Ｓ表面に印字を行う等の処理を行う。
【００７０】
図７（ｂ）で示すように各種処理が完了した後、各搬送ローラを駆動して本部控え領域Ｓ１と店舗控え領域Ｓ２および顧客控え領域Ｓ３の部分Ｓ２Ｓ３とからなる払込票Ｓを払込票保留部４０に搬送する。
【００７１】
この時、本部控え領域Ｓ１と店舗控え領域Ｓ２および顧客控え領域Ｓ３の部分Ｓ２Ｓ３とはミシン目Ｍ１により分離されているため、図７（ｃ）に示すように、これらが処理動作の結果によっては、相対位置がずれてしまうことが有り得る。
【００７２】
しかしながら本部控え領域Ｓ１は分離監視センサＤ１を、店舗控え領域Ｓ２および顧客控え領域Ｓ３の部分Ｓ２Ｓ３は分離監視センサＤ２およびＤ３を各々遮り、図７（ｄ）に示すように本部控え領域Ｓ１と店舗控え領域Ｓ２および顧客控え領域Ｓ３の部分Ｓ２Ｓ３が共に払込票保留部４０に保持された時には、本部控え領域Ｓ１は分離監視センサＤ１を、店舗控え領域Ｓ２および顧客控え領域Ｓ３の部分Ｓ２Ｓ３は分離監視センサＤ２およびＤ３を各々通過するため再びそれぞれの光軸が通ることとなる。
【００７３】
すなわち分離監視センサＤ１、Ｄ２およびＤ３の３つが、多少時間差があっても払込票Ｓ全体で「明→暗→明」を検知することとなり、ミシン目Ｍ１の左右ともが払込票保留部４０に保持されたことを検知可能となっている。
【００７４】
次に図８により、ミシン目Ｍ１により左右に分離された本部控え領域Ｓ１と店舗控え領域Ｓ２および顧客控え領域Ｓ３の部分Ｓ２Ｓ３とからなる払込票Ｓが挿入された場合の動作を説明する。
【００７５】
図８（ａ）の通り、本部控え領域Ｓ１と店舗控え領域Ｓ２および顧客控え領域Ｓ３の部分Ｓ２Ｓ３とからなる払込票Ｓを通帳払込票入出口３ａに挿入することとから払込票Ｓの処理が始まる。
【００７６】
図８（ｂ）で示すように、制御部７（図２）は搬送路ＴＰを制御して、スキャナ部２０で払込票Ｓの表面に印刷および手書き記載されている文字を読み取り、プリンタ部３０により払込票Ｓ表面に印字を行う等の処理を行う。
【００７７】
図８（ｂ）で示すように各種処理が完了した後、各搬送ローラを駆動して本部控え領域Ｓ１と店舗控え領域Ｓ２および顧客控え領域Ｓ３の部分Ｓ２Ｓ３とからなる払込票Ｓを払込票保留部４０に搬送する。
【００７８】
この時、本部控え領域Ｓ１と店舗控え領域Ｓ２および顧客控え領域Ｓ３の部分Ｓ２Ｓ３とはミシン目Ｍ１により分離されているため、図８（ｃ）に示すように、相対位置が移動してしまい店舗控え領域Ｓ２および顧客控え領域Ｓ３の部分Ｓ２Ｓ３が搬送ローラＴＲで搬送できない位置まで移動して停止してしまう事が有り得る。
【００７９】
この場合、本部控え領域Ｓ１は分離監視センサＤ１を、店舗控え領域Ｓ２および顧客控え領域Ｓ３の部分Ｓ２Ｓ３は分離監視センサＤ２およびＤ３を各々遮り、図８（ｄ）に示すように本部控え領域Ｓ１が払込票保留部４０に保持されるまで搬送されたとしても、店舗控え領域Ｓ２および顧客控え領域Ｓ３の部分Ｓ２Ｓ３は分離監視センサＤ２およびＤ３を遮り続けるのみで通過するため光軸が通ることはない。
【００８０】
すなわち分離監視センサＤ１が本部控え領域Ｓ１により「明→暗→明」を検知するが、分離監視センサＤ２およびＤ３は店舗控え領域Ｓ２および顧客控え領域Ｓ３の部分Ｓ２Ｓ３が原因で「暗」のまま変化しない。
【００８１】
図９は、図６、図７および図８に示す払込票の搬送動作において正常な場合（図９（ａ））、分離部分に多少のずれがある場合（図９（ｂ））、および分離部分にずれがあり一部分が搬送不可の場合（図９（ｃ））にそれぞれ対応する分離監視センサＤ１、Ｄ２およびＤ３の信号出力の変化を示す。
【００８２】
制御部７（図２）は図９に示す信号立ち上がりのズレＴＣ１、ＴＣ２を管理することで、ミシン目Ｍ１の左右ともが払込票保留部４０に保持されていないことが検知可能であり、自動取引装置１としての動作を停止し図示しない上位装置にエラーを通知することにより、分離した店舗控え領域Ｓ２および顧客控え領域Ｓ３の部分Ｓ２Ｓ３が意図しない場所に残留したまま正常動作として処理が完了してしまう事を防止可能となる。
【００８３】
以上のように本実施形態によれば、ミシン目で分離された払込票Ｓを取り扱った場合においても、正しく収納代行処理までを完了することができたことを確認することが可能であり、かつ何らかの不具合により収納代行処理が完了できなかった場合に、収納代行処理が完了できなかったことを検知可能であるため意図しない払込票残留を防止できるという効果が期待できる。
【００８４】
本実施形態では、第１の実施形態の搬送路ＴＰにおける分離監視センサＤ１、Ｄ２およびＤ３の３つのセンサを用いているが、センサ数は限定されない。変形例では、第１の部分と第２の部分との境界に設けられた脆弱部（ミシン線等）を有する帳票であれば、第１の部分と第２の部分の通過領域に応じた分離監視センサＤ１、Ｄ２の２つのセンサを用いてもよい。
【００８５】
本実施形態おける、第１の実施形態の搬送路ＴＰにおける分離監視センサＤ１、Ｄ２およびＤ３の３つのセンサを用いている装置は、図１に示した払込票Ｓのうち顧客控え領域Ｓ３が無い本部控え領域Ｓ１および店舗控え領域Ｓ２だけの払込票も取り扱うことができる。この場合、記憶部６に所定種類の払込票の寸法データを記憶させ、寸法データに応じて制御部７（図２）が、分離監視センサＤ１、Ｄ２およびＤ３を使い分け、顧客によって払込票Ｓを通帳払込票入出口３ａにセットする際に通帳払込票入出口３ａの左側の端に払込票Ｓの左側の端に揃えるようにすればよい。
【００８６】
［第２の実施形態］
本実施形態は、図１０に示すように、第１の実施形態の搬送路ＴＰにおける分離監視センサＤ１、Ｄ２およびＤ３は搬送方向に対して内角が鋭角すなわち斜めに交差する直線上に配置されている以外、第１の実施形態と同一であるので、第１の実施形態と同様の部分は、同一の符号を付してその説明を省略する。
【００８７】
本実施形態の機器構成は、分離監視センサＤ１、Ｄ２およびＤ３が搬送方向において配置している構成である。本実施形態では、払込票Ｓを見失う事がないよう、払込票Ｓの最少長（上辺および下辺の間）以下のセンサ間距離を確保するため、分離監視センサＤ１、Ｄ２およびＤ３を搬送方向にずらして配置している。ここでは、本部控え領域Ｓ１が通過する分離監視センサＤ１、店舗控え領域Ｓ２が通過するＤ２、顧客控え領域Ｓ３が通過するＤ３の順で払込票保留部４０に近づくように配置されている。本部控え領域Ｓ１、店舗控え領域Ｓ２、顧客控え領域Ｓ３の中で顧客控え領域Ｓ３が一番領域が小さいため、分離しやすい性質がある。そこで、分離しやすいものをより早く監視できるように顧客控え領域Ｓ３が通過するＤ３を払込票保留部４０から一番遠くなる位置に配置する。つまり、払込票Ｓのミシン目等で分離する領域の小さい順に、各領域に対応する分離監視センサを払込票保留部４０から遠くなる位置に配置することにより、分離しやすいものをより早く監視できる。
【００８８】
本実施形態の機器構成では、分離監視センサＤ１、Ｄ２およびＤ３がずらして配置されているので、ずらして配置したその分だけ、搬送方向の距離が短くなり、通過した払込票Ｓの先端を早く見つける事ができ払込票Ｓを見失う確率がより少なくなるという効果が得られる。
【００８９】
また、分離監視センサ群の信号発生タイミングがずれる分だけ、払込票Ｓの先端を早く（又は遅く）検知することができより払込票Ｓの位置を正確に確認し続けることが可能となる効果も得られる。
【００９０】
［第３の実施形態］
上記実施形態では通帳処理機能及び払込票処理機能の両機能一体型の紙媒体処理部３を備えた自動取引装置について説明したが、図１１に示すように、払込票のみを処理する払込票処理装置１００においても、本発明の媒体処理装置を適用できる。
【００９１】
図１１に示す払込票処理装置１００は、操作表示部２と、払込票Ｓを吸入／排出する払込票入出口３ａを有する紙媒体処理部３と、現金処理部４と、カード入出口５ａおよびレシート発行口５ｂを有するカードリーダレシートプリンタ部５とを顧客対応部分として備えている。また、当該払込票処理装置１００には該顧客対応部分の他に、図示しないが、図３に示すような記憶部６と、制御部７と、通信部８とを備えている。
【００９２】
第３の実施形態の払込票処理装置１００における紙媒体処理部３は、図３に示す通帳磁気読取書込部１１および通帳改頁部１２を備えていない以外、第１の実施形態の紙媒体処理部３と同一である。第３の実施形態によっても、第１の実施形態と同様の効果が期待できる。
【００９３】
なお、第１から第３の実施形態の説明では紙媒体処理部３を備える装置について説明したが、払込票だけでなく容易に分離可能な紙媒体を取扱い、装置内部で搬送する機能を持つ装置であれば本発明の媒体処理装置を適用することが可能である。
【００９４】
また、いずれの実施形態の装置において、払込票挿入時に元々分離していた又は装置内部の払込票処理中に複数枚に分離した払込票を、装置内に配置した保留部に搬送・保持する際、複数枚に分離した払込票の各々全て保留部内に搬送・保持され搬送路内に残留していないことを検知することができる。
【００９５】
また、いずれの実施形態によっても、制御部７（図２）は、払込票搬送中に払込票の分離又は分離の兆候を検知した場合に、搬送を停止することが可能である。
【００９６】
また、いずれの実施形態によっても、ミシン目で分離した媒体の両方共が保留部へ搬送された事が確認可能となる。
【符号の説明】
【００９７】
１  自動取引装置
２  操作表示部
３  紙媒体処理部
４  現金処理部
７  制御部
２０  スキャナ部（読取センサ）
３０  プリンタ部（印字手段）
４０  払込票保留部（媒体保留部）
Ｓ  払込票
【図１】
2020080029.tif 000003
【図２】
2020080029.tif 000004
【図３】
2020080029.tif 000005
【図４】
2020080029.tif 000006
【図５】
2020080029.tif 000007
【図６】
2020080029.tif 000008
【図７】
2020080029.tif 000009
【図８】
2020080029.tif 000010
【図９】
2020080029.tif 000011
【図１０】
2020080029.tif 000012
【図１１】
2020080029.tif 000013